(57)【要約】【課題】ユーザ端末装置を利用して特典を適用する場合のユーザの抵抗感を軽減し、あるいは緩和する特典制御システムを提供する。【解決手段】ゲーム機３等の端末装置におけるユーザの行動と関連付けられた参照情報をサーバにて取得し、得られた参照情報に基づいてユーザに対する特典の適用の可否、及び特典の内容の少なくともいずれか一方を判別し、特典が適用されるべきユーザが使用するユーザ端末装置４に対して特典情報を提供し、ユーザ端末装置４では、特典情報を光学的読取手段にて読み取り可能な態様で記録した特典画像としての二次元コード７を表示させ、特典適用の対象となるべき自動販売機５等の対象装置では、光学的読取手段としてのカメラ５０を介して特典画像を読み取り、その特典画像に記録されている特典情報に基づいてユーザに特典を適用するための処理を実行する。【選択図】図２
2019016203.tif 000002
【特許請求の範囲】
【請求項１】
サーバと、ユーザの使用に供されるユーザ端末装置を含みかつ前記サーバとネットワークを介して通信可能な端末装置群と、光学的読取手段を有する対象装置群とを具備し、いずれかの対象装置を利用するユーザに対して適用されるべき特典を前記ユーザの行動に関連付けて制御する特典制御システムであって、
前記サーバには、
前記行動と関連付けて設定される情報を、前記特典の制御にて参照すべき参照情報として、前記端末装置群の少なくとも一部の端末装置から前記ユーザの識別情報と対応付けて取得する情報取得手段と、
前記情報取得手段が取得した参照情報に基づいて、前記ユーザに対する前記特典の適用の可否、及び前記ユーザに適用されるべき特典の内容の少なくともいずれか一方を判別する特典判別手段と、
前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段と、が設けられ、
前記ユーザ端末装置には、前記特典情報を前記光学的読取手段にて読み取り可能な態様で記録した特典画像を当該ユーザ端末装置の表示装置上に表示させる特典画像表示手段が設けられ、
前記対象装置群に含まれる対象装置のそれぞれには、前記光学的読取手段を介して前記特典画像を読み取り、前記特典画像に記録されている特典情報に基づいて前記ユーザに前記特典を適用するための処理を実行する特典適用手段が設けられている、特典制御システム。
【請求項２】
前記特典判別手段は、前記ユーザの行動が所定の許可条件を満たしているか否かを前記参照情報に基づいて判別し、前記許可条件を満たしている場合に前記特典を適用すべきと判断する、請求項１に記載の特典制御システム。
【請求項３】
前記特典判別手段は、前記特典を適用すべきと判断したユーザの参照情報に基づいて、当該ユーザに適用すべき特典の内容をさらに判別する請求項２に記載の特典制御システム。
【請求項４】
前記情報取得手段は、前記端末装置群に含まれる特定端末装置のユーザの利用と関連付けて設定される情報を前記参照情報として取得する請求項１〜３のいずれか一項に記載の特典制御システム。
【請求項５】
前記特定端末装置がゲーム装置であり、前記情報取得手段は、前記ゲーム装置における前記ユーザのプレイと関連付けて設定される情報を前記参照情報として取得する請求項４に記載の特典制御システム。
【請求項６】
前記特典判別手段は、前記ユーザに対して前記特典を適用するための適用条件を所定の適用基準に従って設定し、
前記特典情報提供手段は、前記適用条件を指定する条件情報を前記特典情報に含めるようにして前記特典情報を提供し、
前記特典適用手段は、前記条件情報にて指定された適用条件に従って前記ユーザに対する前記特典の適用を制御する請求項１〜５のいずれか一項に記載の特典制御システム。
【請求項７】
前記特典判別手段は、前記特定が適用されるべき期間に関する事項、前記特典が適用されるべき対象装置に関する事項、前記特典が適用されるべき前記対象装置の利用の態様に関する事項のうち、少なくともいずれか一つの事項に関する指定が含まれるようにして前記適用条件を設定する請求項６に記載の特典制御システム。
【請求項８】
前記対象装置群には、前記ユーザによる料金の支払いと引き換えに当該ユーザに商品又は役務を提供する販売装置が含まれ、
前記特典は、前記料金の割引又は免除を含むように設定される請求項１〜７のいずれか一項に記載の特典制御システム。
【請求項９】
前記特典情報提供手段は、前記ユーザの識別情報を前記特典情報に含めるようにして前記特典情報を提供する請求項１〜８のいずれか一項に記載の特典制御システム。
【請求項１０】
前記対象装置群には、前記ネットワークを介して前記サーバと通信可能に設けられた特定対象装置が含まれ、
前記特定対象装置に設けられた特典適用手段は、前記特典を適用するための処理として、前記サーバが提供する機能を前記ユーザが利用する場合の対価として通用可能な価値を有するポイントを前記特典として前記特定対象装置を利用するユーザに付与すべきことを指示する情報を、前記特典情報から判別した当該ユーザの識別情報を含めるようにして前記サーバに提供し、
前記サーバには、前記特定対象装置からの前記ポイントの付与を指示する情報の提供に対応して、前記ポイントを前記ユーザの識別情報と対応付けて付与するポイント付与手段がさらに設けられている請求項９に記載の特典制御システム。
【請求項１１】
前記対象装置群には、前記ネットワークを介して前記サーバと通信可能に設けられた特定対象装置が含まれ、
前記特定対象装置には、当該特定対象装置が利用された実績を実績情報に記録する実績情報記録手段が設けられ、
前記サーバには、前記特定端末装置から前記実績情報を取得する実績情報取得手段が設けられている請求項１〜８のいずれか一項に記載の特典制御システム。
【請求項１２】
前記特典情報提供手段は、前記ユーザの識別情報を前記特典情報に含めるようにして前記特典情報を提供し、
前記実績情報記録手段は、前記特典情報に含まれている識別情報を含めるようにして前記実績情報を記録する請求項１１に記載の特典制御システム。
【請求項１３】
サーバと、ユーザの使用に供されるユーザ端末装置を含みかつ前記サーバとネットワークを介して通信可能な端末装置群と、光学的読取手段を有する対象装置群とを具備し、いずれかの対象装置を利用するユーザに対して適用されるべき特典を前記ユーザの行動に関連付けて制御する特典制御システムに適用されるコンピュータプログラムであって、
前記サーバを、
前記行動と関連付けて設定される情報を、前記特典の制御にて参照すべき参照情報として、前記端末装置群の少なくとも一部の端末装置から前記ユーザの識別情報と対応付けて取得する情報取得手段、
前記情報取得手段が取得した参照情報に基づいて、前記ユーザに対する前記特典の適用の可否、及び前記ユーザに適用されるべき特典の内容の少なくともいずれか一方を判別する特典判別手段、及び
前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段として機能させるサーバ用プログラム部と、
前記ユーザ端末装置のコンピュータを、前記特典情報を前記光学的読取手段にて読み取り可能な態様で記録した特典画像を当該ユーザ端末装置の表示装置上に表示させる特典画像表示手段として機能させるユーザ端末装置用プログラム部と、
前記対象装置群に含まれる対象装置のそれぞれのコンピュータを、前記光学的読取手段を介して前記特典画像を読み取り、前記特典画像に記録されている特典情報に基づいて前記ユーザに前記特典を適用するための処理を実行する特典適用手段として機能させる対象装置用プログラム部と、
を含んでいる特典制御システム用のコンピュータプログラム。
【発明の詳細な説明】
【技術分野】
【０００１】
本発明は、ユーザに適用すべき特典を制御するシステム等に関する。
【背景技術】
【０００２】
携帯端末装置を利用したゲームにおけるユーザへの特典適用の可否を、ユーザによる商品の購入行動と関連付けて制御するシステムが知られている（例えば特許文献１参照）。ユーザが販売機にて商品を購入する際に、そのユーザが使用する個人向けの端末装置を利用してユーザへの特典の適用を制御するシステムも知られている（例えば特許文献２参照）。
【先行技術文献】
【特許文献】
【０００３】
【特許文献１】特開２００２−３５２３１１号公報
【特許文献２】特開２０１１−５１３８５９号公報
【発明の概要】
【発明が解決しようとする課題】
【０００４】
従来のシステムは、ユーザが使用する端末装置と販売機との間で近距離無線通信技術等を用いて双方向の通信経路を確立させ、販売機からユーザの端末装置に対して特典と関連付けられた情報を送信することにより、ユーザに特典を与えている。携帯型のゲーム機やスマートフォンといった個人向けの端末装置に双方向の通信機能を付与することは一般的であるものの、ユーザによっては、通信環境設定の煩雑さ、あるいはセキュリティ面での不安といった理由から、その種の通信機能の利用に抵抗を感じることがあり、それがシステムの普及や利用の促進に対する阻害要因となるおそれがある。
【０００５】
そこで、本発明は、ユーザの端末装置を利用して特典を適用する場合のユーザの抵抗感を軽減し、あるいは緩和することが可能な特典制御システム等を提供することを目的とする。
【課題を解決するための手段】
【０００６】
本発明の一態様に係る特典制御システムは、サーバと、ユーザの使用に供されるユーザ端末装置を含みかつ前記サーバとネットワークを介して通信可能な端末装置群と、光学的読取手段を有する対象装置群とを具備し、いずれかの対象装置を利用するユーザに対して適用されるべき特典を前記ユーザの行動に関連付けて制御する特典制御システムであって、前記サーバには、前記行動と関連付けて設定される情報を、前記特典の制御にて参照すべき参照情報として、前記端末装置群の少なくとも一部の端末装置から前記ユーザの識別情報と対応付けて取得する情報取得手段と、前記情報取得手段が取得した参照情報に基づいて、前記ユーザに対する前記特典の適用の可否、及び前記ユーザに適用されるべき特典の内容の少なくともいずれか一方を判別する特典判別手段と、前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段と、が設けられ、前記ユーザ端末装置には、前記特典情報を前記光学的読取手段にて読み取り可能な態様で記録した特典画像を当該ユーザ端末装置の表示装置上に表示させる特典画像表示手段が設けられ、前記対象装置群に含まれる対象装置のそれぞれには、前記光学的読取手段を介して前記特典画像を読み取り、前記特典画像に記録されている特典情報に基づいて前記ユーザに前記特典を適用するための処理を実行する特典適用手段が設けられているものである。
【０００７】
本発明の一態様に係るコンピュータプログラムは、サーバと、ユーザの使用に供されるユーザ端末装置を含みかつ前記サーバとネットワークを介して通信可能な端末装置群と、光学的読取手段を有する対象装置群とを具備し、いずれかの対象装置を利用するユーザに対して適用されるべき特典を前記ユーザの行動に関連付けて制御する特典制御システムに適用されるコンピュータプログラムであって、前記サーバを、前記行動と関連付けて設定される情報を、前記特典の制御にて参照すべき参照情報として、前記端末装置群の少なくとも一部の端末装置から前記ユーザの識別情報と対応付けて取得する情報取得手段、前記情報取得手段が取得した参照情報に基づいて、前記ユーザに対する前記特典の適用の可否、及び前記ユーザに適用されるべき特典の内容の少なくともいずれか一方を判別する特典判別手段、及び前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段として機能させるサーバ用プログラム部と、前記ユーザ端末装置のコンピュータを、前記特典情報を前記光学的読取手段にて読み取り可能な態様で記録した特典画像を当該ユーザ端末装置の表示装置上に表示させる特典画像表示手段として機能させるユーザ端末装置用プログラム部と、前記対象装置群に含まれる対象装置のそれぞれのコンピュータを、前記光学的読取手段を介して前記特典画像を読み取り、前記特典画像に記録されている特典情報に基づいて前記ユーザに前記特典を適用するための処理を実行する特典適用手段として機能させる対象装置用プログラム部と、を含んでいるものである。
【図面の簡単な説明】
【０００８】
【図１】本発明の一形態に係る特典制御システムを含んだネットワークシステムの全体構成の一例を示す図。
【図２】図１のシステムにおける特典制御の概要を示す図。
【図３】図１のシステムの要部における機能ブロック図。
【図４】特典情報の一例を示す図。
【図５】実績情報の一例を示す図。
【図６】特典を適用する資格を判別するために実行される特典資格判別処理の手順の一例を示すフローチャート。
【図７】特典の適用を求めるためにユーザ端末装置にて実行される特典請求処理の手順の一例を示すフローチャート。
【図８】特典の適用を求めるためにユーザ端末装置にて実行される特典請求処理の手順の一例を示すフローチャート。
【図９】特典としてポイントを付与する場合に実行されるポイント付与処理の手順の一例を示すフローチャート。
【発明を実施するための形態】
【０００９】
以下、本発明の特典制御システムの一形態を説明する。本形態の特典制御システムは、ユーザに対して所定のサービスを提供するネットワークシステムの一部として構成されている。以下では、まずネットワークシステムの概要について説明し、その後、特典制御に関連する構成を説明する。図１に示すように、ネットワークシステム１は、サーバＳＶと、サーバＳＶとネットワークＮＴを介して通信可能な端末装置群の一例としての第１〜第３の端末装置群ＴＤ１、ＴＤ２、ＴＤ３とを含んでいる。サーバＳＶは、一例として、複数のサーバユニット２Ａ、２Ｂ…（以下、参照符号２で代表することがある。）が組み合わされた論理的なサーバシステムとして構成される。サーバユニット２はネットワークＮＴ上の特定位置に集合的に設置されてもよいし、クラウドコンピューティングを利用してネットワークＮＴ上で分散して設置されることにより、いわゆるクラウド型のサーバシステムを構成するように設けられてもよい。ネットワークＮＴは、サーバＳＶに対して端末装置群ＴＤ１〜ＴＤ３に含まれる各種の端末装置とを通信可能に接続させることができる限り、適宜に構成されてよい。一例として、ネットワークＮＴは、ＷＡＮとしてのインターネットと、サーバＳＶ及び端末装置群ＴＤ１、ＴＤ２、ＴＤ３に含まれる各種の端末装置のそれぞれをインターネットに接続するＬＡＮ、あるいはアクセスポイントＡＰといった各種の接続設備又は機器等を含んでよい。
【００１０】
端末装置群ＴＤ１、ＴＤ２、ＴＤ３は、特典の制御の観点から区分されるが、サーバＳＶとの通信を介して各種のサービスをユーザに提供するクライアントとして機能する点では互いに共通する。第１の端末装置群ＴＤ１は、ユーザの行動に関連付けて設定される情報を、ユーザに特典を付与すべきか否か等を判別するための参照情報としてサーバＳＶに提供する端末装置の集合である。第２の端末装置群ＴＤ２は、ユーザの個人的な使用に供される個人向けのユーザ端末装置の集合である。第３の端末装置群ＴＤ３は、特典が適用されるべき対象となる端末装置の集合である。なお、各端末装置群ＴＤ１〜ＴＤ３は排他的に設定されるものではない。すなわち、同一の端末装置が２以上の端末装置群のそれぞれの端末装置として機能してもよい。
【００１１】
図１において、第１の端末装置群ＴＤ１には、ゲーム装置の一例としてのゲーム機３Ａ、３Ｂ、３Ｃ…（以下、参照符号３で代表することがある。）が含まれる。ゲーム機３はいずれもゲーム装置の一例である。ゲーム機３Ａ、３Ｂはアミューズメント店舗等の施設に設置され、所定の対価の支払いと引き換えにユーザにゲームをプレイさせる業務用ゲーム機として構成されている。この種のゲーム機はアーケードゲーム機と呼ばれることもある。ゲーム機３Ｃはユーザの個人的な使用に供される携帯型のゲーム機である。この他にも、家庭用の据置型ゲーム機等が第１の端末装置群ＴＤ１におけるゲーム機３として設けられてよい。また、スマートフォン等の携帯電話機又は携帯情報端末がゲーム機３の一種として第１の端末装置群ＴＤ１に含まれてもよい。ただし、第１の端末装置群ＴＤ１の端末装置はゲーム機３に限定されず、ユーザの行動と関連付けられた情報を提供可能な端末装置であれば第１の端末装置群ＴＤ１に適宜に設けられてよい。ゲーム機３は、ユーザ自らが利用可能であって、かつそのユーザの利用状況としてのプレイに関連付けられた情報を提供する点において、特定端末装置の一例に相当する。
【００１２】
第２の端末装置群ＴＤ２には、ユーザの個人的な使用に供されるユーザ端末装置の一例として、スマートフォン４Ａ、タブレット端末４Ｂ、あるいはブック型のＰＣ（パーソナルコンピュータの略）４Ｃが含まれる。それらの端末装置４Ａ〜４Ｃ（以下、参照符号４で代表することがある。）は、ユーザが携帯可能な端末装置の一例である。ただし、第２の端末装置群ＴＤ２には、据置型のＰＣといった携帯に必ずしも適しない端末装置が含まれてもよい。この点は後述する。第２の端末装置群ＴＤ２に含まれるユーザ端末装置４の少なくとも一部は、第１の端末装置群ＴＤ１における端末装置としても利用されてよい。
【００１３】
第３の端末装置群ＴＤ３には、特典が適用される対象装置の一例として、一又は複数の商品を販売する販売装置の一例としての複数の自動販売機５が含まれる。自動販売機５はネットワークＮＴを介してサーバＳＶと通信可能な点で特定対象装置の一例にも相当する。自動販売機５は、ユーザ端末装置４が提示する画像を読み取るための光学的読取手段の一例としてのカメラ５０を備えている。自動販売機５が販売する商品は、飲料、食品、新聞、雑誌、書籍、玩具といった各種の物品から適宜に設定されてよい。乗車券、入場券、チケット等の券種を販売する券売機、ユーザを撮影して印刷出力する撮影機等も自動販売機の概念に含まれる。あるいは、給油機も自動販売機の概念に含まれてよい。また、第３の端末装置群ＴＤ３に含まれる対象装置は、物理的な商品を取り扱う自動販売機５に限定されず、料金の支払いと引き換えに一定の役務、あるいは無形の商品を提供する装置が含まれてよい。例えば、ユーザに動画等を視聴させる装置、通貨を両替して提供する両替機、洗濯や洗車といった一定のサービスを提供する装置、ユーザが求める情報を有償で提供する装置等が対象装置として含まれ得る。
【００１４】
次に、図２を参照してネットワークシステム１にて実現される特典制御の概要を説明する。なお、以下では、第１の端末装置群ＴＤ１の端末装置がゲーム機３である場合を例として説明する。ネットワークシステム１では、自動販売機５を利用するユーザに対して適用されるべき特典を、ゲーム機３におけるユーザの行動と関連付けて制御する。そのような制御を実現するため、ネットワークシステム１のサーバＳＶ上には、ユーザＵに対して所定のサービスを提供するためにゲーム管理システム１０、会員管理システム２０及び決済システム３０が構築される。これらのシステム１０、２０、３０はサーバＳＶに含まれるサーバユニット２を適宜に利用して実現されるシステムである。
【００１５】
ゲーム管理システム１０は、ゲーム機３を利用するユーザに対して、ゲームと関連付けられた各種のサービスを提供するシステムとして設けられている。例えば、ゲーム管理システム１０は、ゲーム機３におけるユーザのプレイ内容を記録したプレイデータをプレイ管理データベースＤＢ１１に保存し、その保存されたプレイデータをゲーム機３からの求めに応じて提供する。また、ゲーム管理システム１０は、ユーザ端末装置４からのユーザのアクセスに対してゲームと関連付けられた各種の情報を提供する。さらに、ゲーム管理システム１０には、ゲーム機３におけるプレイ料金、あるいはゲーム上で利用可能なコンテンツの購入代金等のゲームと関連付けられた料金を、ユーザが所持する仮想通貨によって支払うことを可能とする決済機能も備えている。そのような決済機能を実現するため、ゲーム管理システム１０には、ユーザが所持する仮想通貨の量をユーザごとに設けられた仮想口座に記録した口座管理データベースＤＢ１２が設けられている。仮想口座への仮想通貨の入金（残高の増加）は、例えばユーザ端末装置４からのユーザの指示と、クレジットカードその他の決済機能とを利用して実現される。
【００１６】
ゲーム管理システム１０では、ユーザごとにユニークなユーザＩＤをユーザの識別情報の一例として利用してユーザを識別し、プレイ管理データベースＤＢ１１、口座管理データベースＤＢ１２ではユーザＩＤと関連付けてユーザごとにデータを管理する。ただし、ゲーム機３のうち、特に業務用ゲーム機（一例として図１のゲーム機３Ａ、３Ｂ）では、ユーザが所持するカード等の記憶媒体（不図示）に記録されたカードＩＤ等の媒体識別情報がユーザの識別に用いられることがある。その場合、ユーザＩＤはカード等の媒体識別情報と紐付けられる。それにより、媒体識別情報はユーザの識別情報の一種として実質的に機能する。
【００１７】
ゲームと関連付けられたサービスの提供は、既にゲームの分野で運用例が存在するものであり、ゲーム管理システム１０もその種のシステムと同様に構築されてよい。ただし、図２のゲーム管理システム１０では、自動販売機５を利用するユーザに対して適用されるべき特典を、会員管理システム２０と連携して制御するための機能が追加されている。すなわち、ゲーム管理システム１０は、プレイ管理データベースＤＢ１１に記録されるべきユーザのプレイ内容等を記録した情報を、ユーザの行動に関連付けて設定された参照情報の一例としてゲーム機３から受け取り、その参照情報に基づいて、ユーザに特典を適用すべきか否か、及びユーザに適用すべき特典の内容を判別し、その判別結果に従ってユーザ端末装置４に特典情報を提供する機能を備えている。この点は後述する。
【００１８】
会員管理システム２０は、自動販売機５を利用するユーザに対して所定のサービスを提供するシステムとして設けられている。例えば、会員管理システム２０は、自動販売機５を利用するユーザのうち、希望するユーザに対してユーザごとにユニークな会員ＩＤをユーザの識別情報の一例として発行し、会員ＩＤを発行したユーザに関連付けられた個人情報等を会員ＩＤと対応付けて会員管理データベースＤＢ２１に記録し、その会員管理データベースＤＢ２１に基づいて会員を管理する。また、会員管理システム２０は、会員のユーザ端末装置４に対してイベントの告知、景品の提供といった各種の情報を会員のユーザが所持するユーザ端末装置４に提供する。会員管理システム２０は、自動販売機５からユーザの購入行動に関連付けられた実績情報を取得し、これを実績管理データベースＤＢ２２に蓄積する機能も備えている。実績管理データベースＤＢ２２は、自動販売機５を運営し、あるいは自動販売機５を介して商品を販売する営業主体が自動販売機５の運営状況、あるいは商品の販売動向を管理するために利用される。実績管理データベースＤＢ２２にて会員ＩＤと実績情報とが対応付けて記録されることにより、実績管理データベースＤＢ２２のデータが、ユーザごとの購入行動の分析、あるいは商品のユーザ層ごとの販売実績の分析等に利用されることもある。なお、こうした分析は会員管理システム２０が行ってもよいし、会員管理システム２０とは別に販売分析システムを設けて、その販売分析システムが行うようにしてもよい。
【００１９】
決済システム３０は、自動販売機５を利用するユーザに対して商品の購入代金の支払いに関連したサービスを提供するシステムとして設けられている。すなわち、少なくとも一部の自動販売機５は、現金による購入代金の支払いを処理する機能に代えて、又は加えて、クレジットカードやデビットカードを用いた支払い、仮想通貨を用いた支払いといった決済機能を備えてもよく、決済システム３０はその種の決済機能を実現するためのシステムとして設けられている。決済システム３０を利用した決済の場合、自動販売機５と決済システム３０との間で決済に必要な決済情報が送受信され、決済システム３０は決済情報に応じた決済処理を実行する。この種の決済処理は、既に実用に供されている各種の決済処理と同様でよい。なお、決済システム３０では、ゲーム管理システム１０にて利用されている仮想通貨を利用した購入代金の決済も選択可能とされている。その場合、決済システム３０は、ゲーム管理システム１０に対して決済情報を提供し、ゲーム管理システム１０はゲーム機３における料金の支払い時に行われる決済処理に準じて、自動販売機５における購入代金の決済を処理する。仮想通貨による決済処理の少なくとも一部を、クライアント側にて実行する場合には、決済システム３０の少なくとも一部が自動販売機５内に設けられてもよい。
【００２０】
ゲーム管理システム１０は、ゲーム機３のユーザに対して発行されたユーザＩＤにてユーザを管理し、会員管理システム２０及び決済システム３０は、自動販売機５を利用するユーザに対して発行された会員ＩＤにてユーザを管理する。そのため、ゲーム管理システム１０と会員管理システム２０との間では、同一ユーザに対して発行されているユーザＩＤと会員ＩＤとを相互に関連付けるＩＤ連携処理が適宜に実行される。ＩＤ連携処理は、ユーザ端末装置４からのユーザの指示によって行われてもよいし、システム１０、２０の少なくともいずれか一方でＩＤを発行する際に他方のＩＤを登録させるといった手順で実現されてもよい。
【００２１】
決済システム３０を利用した購入代金の支払いを制御し、あるいはユーザに対する特典を制御するためには、自動販売機５にてユーザ側から情報を取得することが必要な場合がある。そのため、ネットワークシステム１では、ユーザ端末装置４にて所定の情報が記録された二次元コード７を表示させ、それを自動販売機５のカメラ５０を介して読み取るという情報伝達手法が採用されている。つまり、自動販売機５はユーザ端末装置４からユーザの識別等に必要な情報を取得するが、その取得は、近距離無線通信等を利用した双方向通信に依存することなく、二次元コード７を自動販売機５側で光学的に読み取るという一方向の情報伝達によって実現される。ゲーム管理システム１０からユーザ端末装置４に提供される特典情報も特典画像の一例としての二次元コード７に変換され、その二次元コード７を介して自動販売機５へと提供される。二次元コード７に埋め込まれた特典情報を自動販売機５が判別することにより、自動販売機５にて商品を購入しようとするユーザに対して所定の特典が付与される。
【００２２】
以上のように、ユーザ端末装置４から自動販売機５への情報の提供を、二次元コード７による光学的でかつ一方通行の情報伝達手法によって行うようにしたので、ユーザ端末装置４と自動販売機５との間で双方向通信環境を確立する必要がなく、それにより特典の適用に関するユーザの抵抗感を軽減し、あるいは緩和することができる。なお、自動販売機５は近距離無線通信を用いた情報取得機能の付加を排除するものではなく、その種の双方向の情報伝達が、二次元コード７を用いた情報取得と併用可能であってもよい。
【００２３】
次に、図３を参照してネットワークシステム１のうち、特典制御に関わる要部の構成をより詳しく説明する。図３に示すように、ゲーム管理システム１０には、一又は複数のサーバユニット２のコンピュータハードウエア資源を利用して構成される制御部１１と、その制御部１１にて参照されるべきコンピュータプログラムＰＧ１１及び各種のデータ（不図示）を記憶する不揮発性の記憶部１２とが設けられる。制御部１１には、制御部１１を構成するハードウエア資源とコンピュータプログラムＰＧ１１との組み合わせによって各種の論理的装置が構成されるが、特典制御に関連する論理的装置として、情報取得部１３、特典判別部１４及び情報提供部１５が設けられる。情報取得部１３は、ゲーム機３から参照情報を取得し、あるいはゲーム機３から既に取得されている参照情報をプレイ管理データベースＤＢ１１から読み出す。特典判別部１４は、情報取得部１３が取得した参照情報に基づいて、ユーザに特典を適用すべきか否か、及びユーザに適用されるべき特典の内容を判別し、その判別結果に応じた特典情報を生成する。情報提供部１５は、特典判別部１４が生成した特典情報を、特典が適用されるべきユーザのユーザ端末装置４に提供する。
【００２４】
会員管理システム２０には、一又は複数のサーバユニット２のコンピュータハードウエア資源を利用して構成される制御部２１と、その制御部２１にて参照されるべきコンピュータプログラムＰＧ２１及び各種のデータ（不図示）を記憶する不揮発性の記憶部２２とが設けられる。制御部２１には、制御部２１を構成するハードウエア資源とコンピュータプログラムＰＧ２１との組み合わせによって各種の論理的装置が構成されるが、会員管理に関連する論理的装置として、会員管理部２３及び実績管理部２４が設けられる。会員管理部２３は、会員管理データベースＤＢ２１を適宜に操作しつつ会員のユーザ端末装置４に対して各種の情報を提供するといった会員向けのサービスを提供する。実績管理部２４は、自動販売機５から実績情報を取得して実績管理データベースＤＢ２２に蓄積する処理を担当する。
【００２５】
ユーザ端末装置４には、自機のコンピュータハードウエア資源を利用して構成される制御部４１と、その制御部４１にて参照されるべきコンピュータプログラム及び各種のデータ（不図示）を記憶する不揮発性の記憶部４２とが設けられる。制御部４１には、ユーザの操作に応じた信号を出力する入力装置４３と、画像を表示するための表示装置４４とが接続される。また、制御部４１には、制御部４１を構成するハードウエア資源と、記憶部４２に記録されている各種のコンピュータプログラムとの組み合わせによって、ユーザ端末装置４をスマートフォン等として機能させるための各種の論理的装置が構成されるが、ここでは、特に自動販売機５における商品購入と関連付けられた処理を実現するためのコンピュータプログラムＰＧ４１が制御部４１にて実行されることにより、制御部４１には購入管理部４５が設けられる。購入管理部４５は、会員管理システム２０の利用、及び自動販売機５の利用に関連付けられた処理を担当する論理的装置として機能する。購入管理部４５は、例えばゲーム管理システム１０から特典情報を取得して自動販売機５に提示すべき二次元コード７を生成し、あるいは会員管理システム２０にアクセスして各種の情報を取得する。購入管理部４５を実現するためのコンピュータプログラムＰＧ４１は、専用のアプリケーションプログラムとして構成されてもよいし、例えばＷｅｂブラウザ等の汎用のアプリケーションを利用するように構成されてもよい。
【００２６】
自動販売機５には、自機のコンピュータハードウエア資源を利用して構成される制御部５１と、その制御部５１にて参照されるべきコンピュータプログラムＰＧ５１及び各種のデータ（不図示）を記憶する不揮発性の記憶部５２とが設けられる。制御部５１には、上述したカメラ５０の他に、ユーザの商品選択操作等に応じた信号を出力する入力装置５３と、商品の払出装置５４とが接続される。さらに、制御部５１には表示装置が接続されてもよい。また、制御部５１には、制御部５１を構成するハードウエア資源とコンピュータプログラムＰＧ５１との組み合わせにより、自動販売機５の商品販売動作に必要な各種の機能を実現する論理的装置が構成されるが、特にユーザの商品購入に関連付けられた処理を担当する論理的装置として、購入管理部５５、決済管理部５６及び実績管理部５７が設けられる。
【００２７】
購入管理部５５は、ユーザによる商品の選択、及び購入金額の判別、商品の払い出しといった処理を担当する。特典が適用される場合には、その特典を適用する処理も購入管理部５５が担当する。決済管理部５６は、購入管理部５５が判別した購入代金をユーザが支払ったか否かを判別し、判別結果を購入管理部５５に通知する。購入代金が現金にて支払われる場合、決済管理部５６は自動販売機５における不図示の現金収受機構を監視して購入代金が支払われたか否かを判別する。購入代金が決済システム３０を利用した支払い方法にて支払われる場合、決済管理部５６は決済システム３０と連携して購入代金の徴収に必要な処理を実行する。実績管理部５７は、ユーザの商品購入行動を実績情報として記録し、適宜のタイミングでその実績情報を会員管理システム２０に提供する。
【００２８】
図４は、ゲーム管理システム１０からユーザ端末装置４に提供される特典情報の一例を示している。特典情報は、一例として、ユーザＩＤ、認証情報、適用条件及び特典内容を指定する情報を含むように構成される。ユーザＩＤは、例えばゲーム管理システム１０にてユーザに発行されるユーザの識別情報である。ただし、ユーザＩＤに代えて、又は加えて、会員管理システム２０にてユーザに発行される会員ＩＤが特典情報に含まれてもよい。認証情報は、自動販売機５にて特典情報が真正か否かを判別するための情報である。一例として、ワンタイムパスワードが認証情報として用いられる。特典情報は、カメラ５０にて光学的に読み取り可能な態様で二次元コード７に記録される。ユーザごとの実績の記録が不要な場合、あるいは特典が自動販売機での購入代金の割引又は免除といったように自動販売機５側の処理のみで完結する場合のように、ユーザを識別する必要性がないか又はその必要性が低い場合には、ユーザＩＤ等のユーザ識別情報が特典情報から省略されてもよい。認証情報も、特典情報の認証が不要な場合には特典情報から省略されてもよい。
【００２９】
適用条件の情報は、特典が適用されるために満たされるべき条件を指定する情報であって、条件情報の一例に相当する。適用条件は、所定の適用基準に従って、自動販売機５におけるユーザの利用と関連付けられた一又は複数の事項に関する条件を指定するようにして設定される。例えば、特典の有効期間、対象装置及び対象商品が適用条件を構成する事項として設定される。有効期間に関する条件は、特典が適用可能な期間を指定するように設定される。対象装置に関する条件は、特典の適用が認められる自動販売機５を指定するように設定される。対象装置の指定は、自動販売機５が設置された国、地方、行政区画等の地域に関する事項、自動販売機５ごとに付された端末ＩＤといった自動販売機５の個体識別に関する事項、自動販売機５を設置し、又は運営している営業主体に関する事項を指定するように対象装置の条件を設定することができる。対象商品に関する条件は、自動販売機５が販売可能な複数種類の商品のうち、特典が適用されるべき対象となる商品の種類を指定するように設定される。ただし、対象商品の指定に代えて、又は加えて購入数量、購入金額等が適用条件として指定されてもよい。つまり、対象商品の指定は、自動販売機５の利用態様、言い換えれば自動販売機５をどのように利用するか、と関連付けて設定される条件の一例である。
【００３０】
特典内容の情報は、ユーザに適用されるべき特典の内容を指定する情報である。例えば、特典として、自動販売機５における商品の購入代金を割引又は免除し、あるいは自動販売機５における商品購入と引き換えに所定の価値を有するポイントを付与するといったように、ユーザにどのような特典を適用するかが特典内容の情報にて指定される。購入代金の割引は、購入代金に対する割引額、又は割引率等で指定することができる。ポイントの付与は、ユーザに付与するポイントの値、あるいは自動販売機５における購入代金に対するポイントの付与率等で指定することができる。なお、購入代金の割引又は免除とポイントの付与の両者が特典として適用されてもよい。特典として、ゲーム機３のゲーム等で利用可能なアイテム等が付与されてもよい。
【００３１】
特典としてのポイントは、一例として、自動販売機５にて商品を購入する場合の購入代金の一部又は全部として通用可能とされてよい。ただし、ポイントの用途はこれに限定されない。例えば、自動販売機５における利用とは異なる態様で、ネットワークシステム１にてユーザに提供される各種の機能、例えば、商品又は役務の提供機能をユーザが利用する場合の対価として通用する価値を有するようにポイントの用途が設定されてもよい。一例として、ユーザにとって財産的価値のあるグッズやコンテンツ、あるいは権利といった各種の有体物又は無体物をユーザが獲得するために必要な価値を有するものとしてポイントが設定されてもよい。ポイントは、会員管理システム２０の会員を対象として付与され、かつ会員管理システム２０内で通用可能なものでもよいし、ゲーム管理システム１０のユーザを対象として付与され、かつゲーム管理システム１０内で通用可能なものでもよい。両システム１０、２０にて共通してポイントが通用可能とされてもよい。ゲーム管理システム１０のユーザとしてのポイントの用途としては、例えばゲーム機３におけるゲームのプレイ料金又はコンテンツの購入に必要な料金の少なくとも一部としての利用、ゲーム管理システム１０にて管理されている仮想通貨としての利用、あるいは仮想通貨の消費と引き換えにユーザに別途付与される別種類のポイントとしての利用等を挙げることができる。ゲーム管理システム１０又は会員管理システム２０における一部の範囲に限ってポイントが利用できるようにしてもよい。つまり、ポイントの用途は一部の範囲に限定されてもよい。例えば、特定のゲームをプレイする場合にのみ利用可能なポイントが特典としてユーザに付与されてもよい。
【００３２】
図５は自動販売機５から会員管理システム２０に提供される実績情報の一例を示している。実績情報は、自動販売機５にて商品を購入したユーザのユーザＩＤ、商品が購入された自動販売機５を識別するための個体識別情報の一例としての端末ＩＤ、ユーザが購入した商品、数量、購入金額、決済方法といった購入内容を示す購入明細を示す情報、及びユーザに対して適用された特典内容を示す情報を含んでいる。決済方法の情報は、商品の購入代金がどのような方法で支払われたかを示す情報であって、例えば現金購入、又は決済システム３０を利用した支払いといった区別を示すように生成される。特典が適用されなかった場合、特典内容を示す情報には、特典適用がなかったことが記述される。なお、ユーザＩＤは二次元コード７に基づいて特定される。特典の適用の可否、及びどのような特典が適用されるかも二次元コード７に基づいて特定される。
【００３３】
次に、図６〜図９を参照して、特典の適用に関連してネットワークシステム１の各部で実行される処理を説明する。図６は、ユーザに特典情報を提供するためにゲーム管理システム１０の制御部１１が実行する特典資格判別処理の手順の一例を示している。図６の処理は一定の時間帯等に繰り返し実行される周期的な処理でもよいし、例えばゲーム機３からプレイデータ等が提供されたタイミングで実行される随時的な処理でもよい。図６の処理はユーザＩＤごとに行われる処理である。図６の特典資格判別処理が開始されると、まず制御部１１の情報取得部１３は、特典適用の可否等を判別するための基礎となる参照情報を取得する（ステップＳ１０１）。参照情報は、ゲーム機３から取得してもよいし、ゲーム機３から提供されてプレイ管理データベースＤＢ１１に既に記録されている参照情報が取得されてもよい。
【００３４】
参照情報が取得されると、続いて特典判別部１４が参照情報に基づいてユーザのゲームに関する行動が所定の許可条件を満たすか否かを判別する（ステップＳ１０２）。許可条件は特典を適用するか否かを判別するために、ユーザの行動と関連付けて設定される条件である。例えば、ユーザが所定のゲームで所定の成績を挙げた場合に許可条件が満たされる、といったように、ユーザのプレイ成績と関連付けて許可条件が設定される。ユーザのプレイ回数、あるいは特定の日時、時間帯等に所定のゲームをプレイし、あるいは所定のゲーム機３でゲームをプレイするといったように、いつどこでゲームをプレイしたか、と関連付けて許可条件が設定されてもよい。ユーザが支払ったプレイ料金が所定額に達した場合に満たされる、あるいはゲーム管理システム１０にて運用されている仮想通貨にてプレイ料金が支払われた場合に満たされる、といったように、プレイ料金の支払いと関連付けて許可条件が設定されてもよい。
【００３５】
許可条件が満たされている場合、特典判別部１４は続いて特典の適用条件及び特典内容を決定する（ステップＳ１０３）。この場合、参照情報に基づいて特定されるユーザの行動内容に応じて特典の適用条件や内容が動的に変化するように条件、内容が制御されてもよいし、許可条件を満たすユーザに対して、適用条件及び内容が一律に設定されてもよい。続いて、特典判別部１４は、ステップＳ１０３にて決定した特典の適用条件及び内容に従ってユーザ端末装置４に提供すべき特典情報を生成し、ゲーム管理システム１０の記憶部１２にその特典情報をユーザＩＤと対応付けて記録する（ステップＳ１０４）。特典情報がプレイ管理データベースＤＢ１１に記録されてもよい。
【００３６】
特典情報が生成された後は、制御部１１の情報提供部１５がユーザＩＤに対応するユーザ端末装置４に対して特典適用が可能となった旨を通知する（ステップＳ１０５）。その通知は、ゲーム管理システム１０から電子メールその他の情報伝達手段を用いて自発的に通知するいわゆるプッシュ型の通知でもよいし、ユーザ端末装置４からのアクセスに応答して通知するいわゆるプル型の通知でもよい。ステップＳ１０５の通知に代えて、又は加えて、ユーザ端末装置４に対して特典情報が配信されてもよい。特典適用のユーザへの通知後、制御部１１は特典資格判別処理を終える。
【００３７】
図７は、自動販売機５に対して特典の適用を請求するためにユーザ端末装置４の制御部４１が実行する特典請求処理の手順の一例を示している。図７の処理は、例えばユーザが自動販売機５にて商品を購入する際にユーザの操作に従って開始される。特典請求処理が開始されると、制御部４１の購入管理部４５は、自機のユーザを対象とする特典情報を取得する（ステップＳ１１１）。この段階で特典情報がユーザ端末装置４に配信されていない場合、購入管理部４５はゲーム管理システム１０にアクセスし、自機のユーザのユーザＩＤに対応付けて生成されている特典情報の提供をゲーム管理システム１０の情報提供部１５に要求する。情報提供部１５はその要求に応答してユーザの識別情報を手掛かりにユーザの特典情報を判別し、その識別情報に対応付けられた特典情報をユーザ端末装置４に提供する（ステップＳ１０６）。なお、図６のステップＳ１０５にてユーザ端末装置４に特典情報が提供され、その特典情報がユーザ端末装置４の記憶部４２に保存されている場合、購入管理部４５はその特典情報を記憶部４２から取得すればよい。
【００３８】
特典情報の取得後、購入管理部４５は特典情報をデコードし、その特典情報に記録されている各種の情報を埋め込んだ二次元コード７を生成し、これを表示装置４４上に表示させる（ステップＳ１１２）。ただし、ゲーム管理システム１０から二次元コード７を再現する画像データが特典情報として配信されてもよく、その場合、購入管理部４５はゲーム管理システム１０から提供された特典情報の二次元コード７を表示させればよい。二次元コード７の表示後、制御部４１は図７の処理を終える。
【００３９】
図８は、自動販売機５の制御部５１がユーザに対して特典を適用するために実行する特典適用処理の一例を示している。図８の処理は、ユーザが自動販売機５にて商品を購入する際に実行される処理である。例えば、ユーザが自動販売機５にて購入希望の商品を選択すると、その代金の支払いに先行して図８の処理が実行される。特典適用処理が開始されると、制御部５１の購入管理部５５はユーザに対して特典情報の二次元コード７をカメラ５０に提示するよう指示し、ユーザ端末装置４に提示された二次元コード７をカメラ５０を介して読み取る（ステップＳ１２１）。なお、この指示に応じてユーザがユーザ端末装置４にて図７の処理の開始を指示することにより、ユーザ端末装置４にて特典画像の一例としての二次元コード７が表示される。
【００４０】
続いて、購入管理部５５は読み取った二次元コード７に記録されている特典情報をデコードし、その特典情報に含まれている認証情報を利用して二次元コード７を認証する（ステップＳ１２２）。この処理は、特典情報が真正か否か、あるいは特典情報が使用済か否かといった特典情報の有効性を判別する処理であり、図４に示した適用条件の充足性の判別とは別の処理である。特典情報が一回に限り利用できるものである場合には、例えばワンタイムパスワードのように一回に限って通用する認証情報を利用して二次元コード７を認証することができる。
【００４１】
次に、購入管理部５５は認証が成立したか否かを判別する（ステップＳ１２３）。認証が成立した場合、購入管理部５５は特典情報に記録された特典の適用条件及び内容を判別し（ステップＳ１２４）、ユーザの購入内容を判別する（ステップＳ１２５）。この場合、例えば、ユーザがどのような商品を購入しようとしているか、が判別される。続いて、購入管理部５５は、特典情報の適用条件が満たされているか否かを判別する（ステップＳ１２６）。この場合、例えば、特典情報が有効期間内か否か、自機が特典適用の対象装置か否か、ユーザが購入しようとしている商品が特典適用の対象商品か否かが判別される。適用条件が満たされている場合、購入管理部５５はユーザに特典を適用するための処理を実行する（ステップＳ１２７）。例えば、特典が購入代金の割引又は免除である場合には、ユーザに課金されるべき購入代金を特典情報に従って割引又は免除する処理が行われる。特典が、ポイントの付与である場合には、購入と引き換えに会員管理システム２０に対してポイント付与を通知する必要が生じるため、その通知に必要な情報を生成して一時的に記憶すればよい。ポイントを付与する場合の手順は後に詳しく説明する。
【００４２】
ステップＳ１２７の処理後、制御部５１の決済管理部５６は、ユーザから商品の購入代金を徴収する決済処理を実行する（ステップＳ１２８）。ステップＳ１２７にて購入代金を割り引く特典が適用されている場合には、割り引かれた代金がユーザから徴収される。特典が購入代金の免除の場合には、購入代金が支払われたものとしてステップＳ１２８で処理される。購入代金の支払い方法として、現金又は決済システム３０を利用した決済が選択可能な場合、ステップＳ１２８ではユーザに決済方法を選択させ、選択された決済方法を用いて購入代金を決済する。現金支払いが選択された場合は自動販売機５が備えている現金収受機構（不図示）を制御して購入代金を徴収すればよい。決済システム３０を用いた料金支払いが選択された場合には、決済に必要な情報、例えば決済システム３０にてユーザを識別するために必要な情報と決済額とを決済システム３０に通知して、クレジットカード決済や仮想通貨による決済を求めればよい。自動販売機５に実装された決済システムを用いて仮想通貨による決済が行われてもよい。
【００４３】
なお、決済システム３０による決済にて用いられるユーザの識別情報は、ゲーム管理システム１０のユーザＩＤ、あるいは会員管理システム２０にて用いる会員ＩＤのいずれかであってもよいし、それらに代えて、又は加えて他の識別情報が用いられてもよい。例えば、クレジットカードの発行主体、仮想通貨の運営主体等が付与する決済用の識別情報が、ユーザの識別情報の少なくとも一部として用いられてもよい。その場合、ユーザ端末装置４にて決済に必要な識別情報等を埋め込んだ二次元コード７を表示し、これをカメラ５０を介して決済管理部５６が読み込むことにより、自動販売機５から決済システム３０へと決済に必要な情報を通知することも可能となる。そのような決済用の情報は特典情報を記録した二次元コード７と統合されてもよい。つまり、一つの二次元コード７に決済用の情報と特典情報とが共通して記録されてもよい。また、ゲーム管理システム１０にて通用する仮想通貨が決済に用いられる場合には、特典情報にユーザＩＤを含めておくことにより、そのユーザＩＤを自動販売機５から決済システム３０を介してゲーム管理システム１０に提供することにより、ゲーム管理システム１０にて購入代金を決済することができる。なお、決済が正常に行えない場合は、これまでの処理をキャンセルすればよい。キャンセルの手順は説明を省略する。
【００４４】
ステップＳ１２８で決済が正常に終了した場合、制御部５１の実績管理部５７は、今回の商品販売の詳細を記録した実績情報を生成し、これを記憶部５２に保存する（ステップＳ１２９）。続いて、実績管理部５７は今回の実績情報を会員管理システム２０に提供し（ステップＳ１３０）、その後に図８の処理を終える。会員管理システム２０の実績管理部２４は、自動販売機５から実績情報が提供されると、その実績情報を取得し（ステップＳ１４１）、得られた実績情報を実績管理データベースＤＢ２２に蓄積する（ステップＳ１４２）。なお、実績情報に含まれているユーザの識別情報がゲーム管理システム１０にて管理されるユーザＩＤである場合、会員管理システム２０ではそのユーザＩＤに対応する会員ＩＤが特定され、会員ＩＤと対応付けて実績情報が記録される。実績情報の少なくとも一部は、会員管理部２３により会員管理データベースＤＢ２１にも蓄積されてよい。会員管理システム２０にて実績情報が蓄積されることにより、商品の販売実績、販売動向といった分析が可能となる。また、実績情報に会員の識別情報が含まれることにより、ユーザの購入行動を分析し、あるいはユーザ層別の商品の販売傾向といったユーザと関連付けた分析も可能である。なお、自動販売機５から会員管理システム２０への実績情報の提供は、商品が購入される都度に行われてもよいし、自動販売機５にて蓄えられた実績情報が定期的に会員管理システム２０に提供されるといった態様でもよい。
【００４５】
ステップＳ１２３にて認証が成立しない場合、ステップＳ１２６で適用条件が満たされていない場合、購入管理部５５は所定のエラー処理を実行する（ステップＳ１３１、Ｓ１３２）。これらの処理では、一例として、二次元コード７に基づく特典が適用不可能であることがユーザに提示される。エラー処理後はステップＳ１２８以下へと処理が進められる。その場合には、特典が適用されない状態で商品が購入されることになる。なお、図８の処理は特典情報の構成等に応じて適宜に変更可能である。例えば、ユーザＩＤ等のユーザの識別情報が特典情報に含まれていない場合には、ステップＳ１２９、Ｓ１４２における実績情報の記録に関して、ユーザの識別情報と対応付けた実績の記録が省略されてよい。特典情報に認証情報が含まれていない場合には、ステップＳ１２２、Ｓ１２３の認証に関連した処理が省略されてよい。
【００４６】
図９は、特典の少なくとも一部としてユーザにポイントを付与する場合に実行されるポイント付与処理の手順を示している。図９の処理は、図８の処理と関連付けて実行される処理である。図９の処理が開始されると、まず、自動販売機５の購入管理部５５は、ユーザに適用されるべきポイント付与の内容を判別する（ステップＳ２０１）。その処理は、一例として図８のステップＳ１２７の処理の一部として実行されてもよいし、ステップＳ１２７にて生成した情報を確認する処理として実行されてもよい。次に、購入管理部５５は商品購入代金の決済が正常に完了したか否かを決済管理部５６に問い合わせる（ステップＳ２０２）。正常に完了している場合、購入管理部５５はステップＳ２０１で判別した内容に従ってポイント付与を会員管理システム２０に通知する（ステップＳ２０３）。その通知により自動販売機５における処理は終了する。なお、ステップＳ２０２にて決済が正常に完了しなかった場合、ステップＳ２０３はスキップされる。
【００４７】
会員管理システム２０の会員管理部２３は、自動販売機５からポイント付与が通知されると、その通知内容に基づいて、ユーザに適用されるべきポイント付与の内容を判別する（ステップＳ２１１）。次に、会員管理部２３はユーザに付与すべきポイントが、会員管理システム２０における会員のユーザに対して付与すべきポイント（会員ポイントと呼ぶことがある。）であるか否かを判別する（ステップＳ２１２）。会員ポイントを付与すべきと判断された場合、会員管理部２３は会員のユーザにポイントを付与する（ステップＳ２１３）。その処理は、例えば、会員管理データベースＤＢ２１に会員ＩＤと対応付けて記録されている会員ユーザのポイントに今回通知された量のポイントを加算することにより実現される。一方、ステップＳ２１２にて会員ポイントではないと判断された場合、会員管理部２３は、ゲーム管理システム１０に対してポイント付与を通知する（ステップＳ２１４）。その処理は、例えば自動販売機５からの通知を転送することにより実現されてもよい。この場合、ユーザの識別情報としての会員ＩＤがゲーム管理システム１０におけるユーザＩＤに置き換えられてポイント付与が通知されてもよい。ステップＳ２１３又はＳ２１４の処理が実行されると、会員管理部２３における処理は終了する。
【００４８】
ゲーム管理システム１０の制御部１１は、会員管理システム２０からポイント付与が通知されると、その通知内容に基づいて、ユーザに適用されるべきポイント付与の内容を判別し（ステップＳ２２１）、その判別した内容に従ってユーザにポイントを付与する（ステップＳ２２２）。その処理は、例えば、プレイ管理データベースＤＢ１１にユーザＩＤと対応付けて記録されているユーザのポイントに今回通知された量のポイントを加算することにより実現される。ポイント付与後、制御部１１における処理は終了する。なお、ゲーム管理システム１０にて付与すべきポイントは、上述したように特定のゲームのプレイに限って通用可能といったように、用途が限定されたものであってもよい。例えば、プレイ管理データベースＤＢ１１を参照してユーザが最もプレイしているゲームを判別し、その判別されたゲームに限って通用するポイントをユーザに特典として付与するといった処理が行われてもよい。ステップＳ２２２では、ポイント付与に代えて、又は加えて、ゲームで利用可能なアイテム等が付与されてもよい。
【００４９】
以上の形態では、ゲーム管理システム１０の情報取得部１３が図６のステップＳ１０１の処理を実行することにより情報取得手段の一例として機能し、特典判別部１４が図６のステップＳ１０２及びＳ１０３の処理を実行することにより特典判別手段の一例として機能し、情報提供部１５が図６のステップＳ１０５又は図７のステップＳ１０６にて特典情報を提供することにより特典情報提供手段の一例として機能し、ユーザ端末装置４の購入管理部４５が図７のステップＳ１１２の処理を実行することにより特典画像表示手段の一例として機能し、かつ図８のステップＳ１２７、又は図９のステップＳ２０１〜Ｓ２０３の処理を実行することにより特典適用手段の一例として機能する。また、会員管理システム２０の会員管理部２３が図９のステップＳ２１３の処理を実行し、あるいはゲーム管理システム１０の制御部１１が図９のステップＳ２２２の処理を実行することにより、ポイント付与手段の一例として機能し、自動販売機５の実績管理部５７が図８のステップＳ１２９の処理を実行することにより実績情報記録手段の一例として機能し、会員管理システム２０の実績管理部２４が図８のステップＳ１４１の処理を実行することにより実績情報取得手段の一例として機能する。また、ゲーム管理システム１０のコンピュータプログラムＰＧ１１が情報取得手段、特典判別手段及び特典情報提供手段を実現するためのサーバ用プログラム部の一例に相当し、ユーザ端末装置４のコンピュータプログラムＰＧ４１がユーザ端末装置用プログラム部の一例に相当し、自動販売機５のコンピュータプログラムＰＧ５１が対象装置用プログラム部の一例に相当する。
【００５０】
本発明は上述した形態に限定されることなく、各種の変形又は変更が施された形態にて実施されてよい。例えば、上記の形態では、特典適用の可否等を判別するための参照情報として、ゲーム機３におけるユーザのプレイと関連付けられた情報を取得するものとしたが、参照情報はユーザの行動と関連付けて設定される限りにおいて種々の変更が可能である。ユーザの行動と関連付けられた情報を収集する仕組みは各種の分野で実用されており、それらの仕組みを利用して本発明の特典適用の可否等が判別されてよい。例えば、実在の店舗に設置された決済用端末装置から取得されるユーザの購入履歴の情報、ネットワークを利用して各種の商品を販売し、あるいは動画その他の各種情報を閲覧させ、ユーザにコミュニケーションの場を提供するといった役務を提供するサイトにおけるユーザの利用履歴の情報、航空機、鉄道等の交通機関におけるユーザの利用履歴の情報といった各種の情報を参照情報として取得し、特典適用の可否や特典内容を判別してよい。
【００５１】
上記の形態では特典適用の可否及び特典内容の両者を判別したが、いずれか一方のみを参照情報に基づいて判別してもよい。例えば、自動販売機５等の対象装置を利用したユーザに対して漏れなく特典を適用するものとしつつ、利用内容に応じて特典を差別化する場合には特典内容のみを判別すれば足り、特典適用の可否の判別は省略可能である。あるいは、所定の適用条件を満たしたユーザに対して同一内容の特典を適用する場合には、特典適用の可否のみを判別すれば足り、特典内容の判別は省略可能である。
【００５２】
参照情報を取得する対象となる端末装置は、ユーザ自身が利用する端末装置に限らない。例えば、実在の店舗におけるレジスター端末装置、あるいはクレジット決済用の端末装置のように、ユーザの行動に基づいて店員等が操作する端末装置が参照情報を取得する端末装置として含まれてもよい。
【００５３】
上記の形態では、特典適用の対象となる装置の一例としての自動販売機５がネットワークＮＴを介してサーバＳＶに接続されているが、対象装置の少なくとも一部は、二次元コード７等の特典画像を光学的に読み取ることが可能である限りにおいて、ネットワークに接続されないオフライン型の装置として設けられてもよい。その場合でも、特典画像を対象装置で読み取れば、商品や役務の購入代金を割引又は免除するように特典を適用することが可能である。
【００５４】
対象装置は、自動販売機５のような据置型の装置に限られない。例えば、可搬性、又は携帯性を備えた商品や役務の販売装置が対象装置として含まれてもよい。その種の対象装置が利用される場合には、ユーザ端末装置が据置型の端末装置であっても、ユーザ端末装置にて表示される特典画像を対象装置の光学的読取手段に読み取らせることが可能である。
【００５５】
上記の形態では、特典画像として二次元コード７を例示したが、特典画像は特典情報を記録可能であってかつ対象装置にて光学的に読み取って特典情報を復元できるものであれば、適宜に変更されてよい。例えば、文字列、図形、記号等を単独で又は組み合わせて特典画像が構成されてもよい。
【００５６】
上述した実施の形態及び変形例のそれぞれから導き出される本発明の各種の態様を以下に記載する。なお、以下の説明では、本発明の各態様の理解を容易にするために添付図面に図示された対応する部材を括弧書きにて付記するが、それにより本発明が図示の形態に限定されるものではない。
【００５７】
本発明の一態様に係る特典制御システムは、サーバ（ＳＶ）と、ユーザの使用に供されるユーザ端末装置（４）を含みかつ前記サーバとネットワーク（ＮＴ）を介して通信可能な端末装置群（ＴＤ１、ＴＤ２）と、光学的読取手段（５０）を有する対象装置群（ＴＤ３）とを具備し、いずれかの対象装置を利用するユーザに対して適用されるべき特典を前記ユーザの行動に関連付けて制御する特典制御システムであって、前記サーバには、前記行動と関連付けて設定される情報を、前記特典の制御にて参照すべき参照情報として、前記端末装置群の少なくとも一部の端末装置（３Ａ、３Ｂ、３Ｃ…）から前記ユーザの識別情報と対応付けて取得する情報取得手段（１３、Ｓ１０１）と、前記情報取得手段が取得した参照情報に基づいて、前記ユーザに対する前記特典の適用の可否、及び前記ユーザに適用されるべき特典の内容の少なくともいずれか一方を判別する特典判別手段（１４、Ｓ１０２、Ｓ１０３）と、前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段（１５、Ｓ１０５、Ｓ１０６）と、が設けられ、前記ユーザ端末装置には、前記特典情報を前記光学的読取手段にて読み取り可能な態様で記録した特典画像（７）を当該ユーザ端末装置の表示装置（４４）上に表示させる特典画像表示手段（４５、Ｓ１１２）が設けられ、前記対象装置群に含まれる対象装置（５）のそれぞれには、前記光学的読取手段を介して前記特典画像を読み取り、前記特典画像に記録されている特典情報に基づいて前記ユーザに前記特典を適用するための処理を実行する特典適用手段（４５、Ｓ１２７、Ｓ２０１〜Ｓ２０３）が設けられているものである。
【００５８】
本発明の一態様に係るコンピュータプログラムは、サーバ（ＳＶ）と、ユーザの使用に供されるユーザ端末装置（４）を含みかつ前記サーバとネットワーク（ＮＴ）を介して通信可能な端末装置群（ＴＤ１、ＴＤ２）と、光学的読取手段（５０）を有する対象装置群（ＴＤ３）とを具備し、いずれかの対象装置を利用するユーザに対して適用されるべき特典を前記ユーザの行動に関連付けて制御する特典制御システムに適用されるコンピュータプログラムであって、前記サーバを、前記行動と関連付けて設定される情報を、前記特典の制御にて参照すべき参照情報として、前記端末装置群の少なくとも一部の端末装置（３Ａ、３Ｂ、３Ｃ…）から前記ユーザの識別情報と対応付けて取得する情報取得手段（１３、Ｓ１０１）、前記情報取得手段が取得した参照情報に基づいて、前記ユーザに対する前記特典の適用の可否、及び前記ユーザに適用されるべき特典の内容の少なくともいずれか一方を判別する特典判別手段（１４、Ｓ１０２、Ｓ１０３）、及び前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段（１５、Ｓ１０５、Ｓ１０６）として機能させるサーバ用プログラム部（ＰＧ１１）と、前記ユーザ端末装置のコンピュータ（４１）を、前記特典情報を前記光学的読取手段にて読み取り可能な態様で記録した特典画像（７）を当該ユーザ端末装置の表示装置（４４）上に表示させる特典画像表示手段（４５、Ｓ１１２）として機能させるユーザ端末装置用プログラム部（ＰＧ４１）と、前記対象装置群に含まれる対象装置のそれぞれのコンピュータ（５１）を、前記光学的読取手段を介して前記特典画像を読み取り、前記特典画像に記録されている特典情報に基づいて前記ユーザに前記特典を適用するための処理を実行する特典適用手段（４５、Ｓ１２７、Ｓ２０１〜Ｓ２０３）として機能させる対象装置用プログラム部（ＰＧ５１）と、を含んでいるものである。
【００５９】
上記態様によれば、ユーザの行動に対して何らかの特典を付与すべきと判断された場合、そのユーザに適用されるべき特典に対応する特典情報がユーザ端末装置に提供される。ユーザ端末装置にて特典情報に対応する特典画像が表示され、その特典画像が対象装置にて光学的に読み取られることにより、対象装置にて特典適用に必要な処理が行われる。ユーザ端末装置から対象装置への特典情報の提供に関して、特典画像を光学的読取手段にて読み取るという一方通行の情報伝達手法が用いられているので、特典を受けるためにユーザ端末装置と対象装置との間で近距離無線通信のような双方向の通信環境を確立させる必要がない。そのため、ユーザ端末装置を利用して特典を適用する場合のユーザの抵抗感を軽減し、あるいは緩和することが可能である。
【００６０】
なお、本発明の一態様に係るコンピュータプログラムは、記憶媒体に記憶された状態で提供されてもよい。この記憶媒体を用いれば、例えばコンピュータに本発明に係るコンピュータプログラムをインストールして実行することにより、そのコンピュータを利用して本発明のゲームシステムを実現することができる。コンピュータプログラムを記憶した記憶媒体は、ＣＤＲＯＭ等の非一過性の記憶媒体であってもよい。
【００６１】
上記態様において、前記特典判別手段は、前記ユーザの行動が所定の許可条件を満たしているか否かを前記参照情報に基づいて判別し、前記許可条件を満たしている場合に前記特典を適用すべきと判断してもよい。この場合は、ユーザの行動に基づいて特典を適用すべきか否かを制御することができる。
【００６２】
上記の場合、前記特典判別手段は、前記特典を適用すべきと判断したユーザの参照情報に基づいて、当該ユーザに適用すべき特典の内容をさらに判別してもよい。これによれば、ユーザの行動に基づいて特典適用の可否が判断され、かつ特典を適用すべきと判断されたユーザの行動に応じて特典内容が差別化されるように特典を制御することができる。したがって、特典を柔軟に制御することが可能である。
【００６３】
上記態様において、前記情報取得手段は、前記端末装置群に含まれる特定端末装置（３Ａ、３Ｂ、３Ｃ…）のユーザの利用と関連付けて設定される情報を前記参照情報として取得してもよい。これによれば、ユーザが特定端末装置をどのように利用したかに応じて特典適用の可否、特典内容の少なくともいずれかを制御することができる。したがって、特典の適用を目的とした対象装置の利用促進のみならず、特典端末装置の利用促進も図ることが可能である。
【００６４】
さらに、前記特定端末装置がゲーム装置であり、前記情報取得手段は、前記ゲーム装置における前記ユーザのプレイと関連付けて設定される情報を前記参照情報として取得してもよい。これによれば、ゲーム装置におけるユーザのプレイに応じて対象装置を利用するユーザに特典を適用することができる。したがって、ゲーム装置にてゲームをプレイする動機付けをユーザに与えることが可能である。
【００６５】
上記態様において、前記特典判別手段は、前記ユーザに対して前記特典を適用するための適用条件を所定の適用基準に従って設定し、前記特典情報提供手段は、前記適用条件を指定する条件情報を前記特典情報に含めるようにして前記特典情報を提供し、前記特典適用手段は、前記条件情報にて指定された適用条件に従って前記ユーザに対する前記特典の適用を制御してもよい。これによれば、ユーザに対してどのような範囲で特典を適用すべきかを適用条件の設定によって適宜に調整することができる。
【００６６】
さらに、前記特典判別手段は、前記特定が適用されるべき期間に関する事項、前記特典が適用されるべき対象装置に関する事項、前記特典が適用されるべき前記対象装置の利用の態様に関する事項のうち、少なくともいずれか一つの事項に関する指定が含まれるようにして前記適用条件を設定してもよい。これによれば、特典の適用によって対象装置の利用促進を図るべき期間、利用促進を図るべき対象装置の範囲、あるいは対象装置の利用態様を適宜に制限し、それにより特典の適用をその目的に適うように合理的に制御することができる。
【００６７】
前記対象装置群には、前記ユーザによる料金の支払いと引き換えに当該ユーザに商品又は役務を提供する販売装置が含まれ、前記特典は、前記料金の割引又は免除を含むように設定されてもよい。これによれば、販売装置を介してユーザが商品を購入し、あるいは役務の提供を受ける場合にユーザが支払うべき料金を、ユーザの行動に応じて割引又は免除することにより、ユーザに特典の効果を直接的に感得させて特典適用へのユーザの関心、興味を高めることができる。
【００６８】
上記態様において、前記特典情報提供手段は、前記ユーザの識別情報を前記特典情報に含めるようにして前記特典情報を提供してもよい。これによれば、特典情報にユーザの識別情報が含まれることにより、その特典情報に対応する特典画像の読み取りを介して対象装置にユーザの識別機能を与えることができる。
【００６９】
さらに、前記対象装置群には、前記ネットワークを介して前記サーバと通信可能に設けられた特定対象装置（５）が含まれ、前記特定対象装置に設けられた特典適用手段は、前記特典を適用するための処理として、前記サーバが提供する機能を前記ユーザが利用する場合の対価として通用可能な価値を有するポイントを前記特典として前記特定対象装置を利用するユーザに付与すべきことを指示する情報を、前記特典情報から判別した当該ユーザの識別情報を含めるようにして前記サーバに提供し、前記サーバには、前記特定対象装置からの前記ポイントの付与を指示する情報の提供に対応して、前記ポイントを前記ユーザの識別情報と対応付けて付与するポイント付与手段（２３、Ｓ２１３、１１、Ｓ２２２）がさらに設けられてもよい。これによれば、サーバが提供する機能を利用する際の対価として通用するポイントがユーザに特典として付与されることにより、特典を利用できる範囲が拡大する。それにより、特典に関するユーザの関心、興味を高め、特典適用による対象装置の利用促進等の効果をさらに高めることができる。
【００７０】
上記態様において、前記対象装置群には、前記ネットワークを介して前記サーバと通信可能に設けられた特定対象装置（５）が含まれ、前記特定対象装置には、当該特定対象装置が利用された実績を実績情報に記録する実績情報記録手段（５７、Ｓ１２９）が設けられ、前記サーバには、前記特定端末装置から前記実績情報を取得する実績情報取得手段（２４、Ｓ１４１）が設けられてもよい。これによれば、特定対象装置に関して、その利用実績を収集し、得られた情報に基づいて利用動向等を分析することができる。例えば、特典適用の期間、範囲等を限定した場合には特典の効果等を分析することも可能である。
【００７１】
さらに、前記特典情報提供手段は、前記ユーザの識別情報を前記特典情報に含めるようにして前記特典情報を提供し、前記実績情報記録手段は、前記特典情報に含まれている識別情報を含めるようにして前記実績情報を記録してもよい。これによれば、実績情報をユーザ別に集計するといった処理が可能となる。そのため、対象装置の利用に関するユーザごとの分析、あるいはユーザ層ごとの分析といった処理を行うことができる。
【符号の説明】
【００７２】
１  ネットワークシステム
２Ａ、２Ｂ  サーバユニット
３Ａ、３Ｂ、３Ｃ  ゲーム機（ゲーム装置）
４  ユーザ端末装置
５  自動販売機（販売装置、対象装置、特定対象装置）
７  二次元コード（特典画像）
１０  ゲーム管理システム
１１  制御部（ポイント付与手段）
１３  情報取得部（情報取得手段）
１４  特典判別部（特典判別手段）
１５  情報提供部（特典情報提供手段）
２０  会員管理システム
２３  会員管理部（ポイント付与手段）
２４  実績管理部（実績情報取得手段）
３０  決済システム
４５  購入管理部（特典画像表示手段）
５０  カメラ（光学的読取手段）
５１  制御部
５５  購入管理部（特典適用手段）
５７  実績管理部（実績情報記録手段）
ＮＴ  ネットワーク
ＳＶ  サーバ
ＴＤ１  第１の端末装置群
ＴＤ２  第２の端末装置群
ＴＤ３  第３の端末装置群（対象装置群）
【図１】
2019016203.tif 000003
【図２】
2019016203.tif 000004
【図３】
2019016203.tif 000005
【図４】
2019016203.tif 000006
【図５】
2019016203.tif 000007
【図６】
2019016203.tif 000008
【図７】
2019016203.tif 000009
【図８】
2019016203.tif 000010
【図９】
2019016203.tif 000011
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
サーバと、ユーザの使用に供されるユーザ端末装置を含みかつ前記サーバとネットワークを介して通信可能な端末装置群と、光学的読取手段を有する対象装置群とを具備し、前記サーバに含まれる第１のサーバにより、前記端末装置群に含まれる特定端末装置を利用するユーザを、ユーザごとにユニークな識別情報によって識別して管理する第１のシステムと、前記サーバに含まれかつ前記第１のサーバとは異なる第２のサーバにより、前記対象装置群を利用するユーザを、ユーザごとにユニークな識別情報であってかつ前記第１のシステムにて用いられる識別情報とは異なる識別情報によって識別して管理する第２のシステムとを含んだネットワークシステムに適用され、前記ユーザの行動としての前記特定端末装置の利用と関連付けてユーザに特典が付与され、当該ユーザがいずれかの対象装置を利用する際に当該特典が適用されるように前記特典を制御する特典制御システムであって、
前記第１のサーバには、
前記特定端末装置の利用と関連付けて設定される情報を、前記特典の制御にて参照すべき参照情報として、前記特定端末装置から前記第１のシステムにおけるユーザの識別情報と対応付けて取得する情報取得手段と、
前記情報取得手段が取得した参照情報に基づいて、前記ユーザに対する前記特典の適用の可否、及び前記ユーザに適用されるべき特典の内容の少なくともいずれか一方を判別する特典判別手段と、
前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段と、が設けられ、
前記ユーザ端末装置には、前記特典情報を前記光学的読取手段にて読み取り可能な態様で記録した特典画像を当該ユーザ端末装置の表示装置上に表示させる特典画像表示手段が設けられ、
前記対象装置群に含まれる対象装置のそれぞれには、前記光学的読取手段を介して前記特典画像を読み取り、前記特典画像に記録されている特典情報に基づいて前記ユーザに前記特典を適用するための処理を実行する特典適用手段が設けられ、
前記第１のサーバ又は前記第２のサーバの少なくともいずれか一方には、同一ユーザに関する前記第１のシステムの識別情報と前記第２のシステムの識別情報とを相互に関連付ける手段が設けられ、
前記特典情報提供手段は、前記特典が適用されるべきユーザに関する前記第１のシステム又は前記第２のシステムの少なくともいずれか一方におけるユーザの識別情報を含めるようにして前記ユーザ端末装置に前記特典情報を提供し、
前記第２のサーバには、前記ユーザに対して適用された特典の内容を示す情報を含んだ実績情報を前記対象装置から取得し、得られた実績情報を、前記光学的読取手段が読み取った特典情報に含まれているユーザの識別情報に基づいて特定される前記第２のシステムの識別情報と対応付けて記録する手段が設けられている、特典制御システム。
【請求項２】
前記特典判別手段は、前記ユーザによる前記特定端末装置の利用状況が所定の許可条件を満たしているか否かを前記参照情報に基づいて判別し、前記許可条件を満たしている場合に前記特典を適用すべきと判断する、請求項１に記載の特典制御システム。
【請求項３】
前記特典判別手段は、前記特典を適用すべきと判断したユーザの参照情報に基づいて、当該ユーザに適用すべき特典の内容をさらに判別する請求項２に記載の特典制御システム。
【請求項４】
前記特定端末装置がゲーム装置であり、前記情報取得手段は、前記ゲーム装置における前記ユーザのプレイと関連付けて設定される情報を前記参照情報として取得する請求項３に記載の特典制御システム。
【請求項５】
前記特典判別手段は、前記ユーザに対して前記特典を適用するための適用条件を所定の適用基準に従って設定し、
前記特典情報提供手段は、前記適用条件を指定する条件情報を前記特典情報に含めるようにして前記特典情報を提供し、
前記特典適用手段は、前記条件情報にて指定された適用条件に従って前記ユーザに対する前記特典の適用を制御する請求項１〜４のいずれか一項に記載の特典制御システム。
【請求項６】
前記特典判別手段は、前記特典が適用されるべき期間に関する事項、前記特典が適用されるべき対象装置に関する事項、前記特典が適用されるべき前記対象装置の利用の態様に関する事項のうち、少なくともいずれか一つの事項に関する指定が含まれるようにして前記適用条件を設定する請求項５に記載の特典制御システム。
【請求項７】
前記対象装置群には、前記ユーザによる料金の支払いと引き換えに当該ユーザに商品又は役務を提供する販売装置が含まれ、
前記特典は、前記料金の割引又は免除を含むように設定される請求項１〜６のいずれか一項に記載の特典制御システム。
【請求項８】
前記対象装置群には、前記ネットワークを介して前記第２のサーバと通信可能に設けられた特定対象装置が含まれ、
前記特定対象装置に設けられた特典適用手段は、前記特典を適用するための処理として、前記第１のサーバが提供する機能を前記ユーザが利用する場合の対価として通用可能な価値を有するポイントを前記特典として前記特定対象装置を利用するユーザに付与すべきことを指示する情報を、前記特典情報から判別した当該ユーザの識別情報を含めるようにして前記第２のサーバに提供し、
前記第１及び前記第２のサーバには、前記特定対象装置からの前記ポイントの付与を指示する情報の提供に対応して、前記ポイントを前記ユーザの識別情報と対応付けて付与するポイント付与手段がさらに設けられている請求項１〜７のいずれか一項に記載の特典制御システム。
【請求項９】
前記対象装置群には、前記ネットワークを介して前記第２のサーバと通信可能に設けられた特定対象装置が含まれ、
前記特定対象装置には、当該特定対象装置が利用された実績を実績情報に記録する実績情報記録手段が設けられ、
前記第２のサーバには、前記特定対象装置から前記実績情報を取得する実績情報取得手段が設けられている請求項１〜７のいずれか一項に記載の特典制御システム。
【請求項１０】
前記実績情報記録手段は、前記特典情報に基づいて特定される前記第２のシステムにおける識別情報を含めるようにして前記実績情報を記録する請求項９に記載の特典制御システム。
【請求項１１】
サーバと、ユーザの使用に供されるユーザ端末装置を含みかつ前記サーバとネットワークを介して通信可能な端末装置群と、光学的読取手段を有する対象装置群とを具備し、前記サーバに含まれる第１のサーバにより、前記端末装置群に含まれる特定端末装置を利用するユーザを、ユーザごとにユニークな識別情報によって識別して管理する第１のシステムと、前記サーバに含まれかつ前記第１のサーバとは異なる第２のサーバにより、前記対象装置群を利用するユーザを、ユーザごとにユニークな識別情報であってかつ前記第１のシステムにて用いられる識別情報とは異なる識別情報によって識別して管理する第２のシステムとを含んだネットワークシステムに適用され、前記ユーザの行動としての前記特定端末装置の利用と関連付けてユーザに特典が付与され、当該ユーザがいずれかの対象装置を利用する際に当該特典が適用されるように前記特典を制御する特典制御システムに適用されるコンピュータプログラムであって、
前記第１のサーバを、
前記特定端末装置の利用と関連付けて設定される情報を、前記特典の制御にて参照すべき参照情報として、前記特定端末装置から前記第１のシステムにおけるユーザの識別情報と対応付けて取得する情報取得手段、
前記情報取得手段が取得した参照情報に基づいて、前記ユーザに対する前記特典の適用の可否、及び前記ユーザに適用されるべき特典の内容の少なくともいずれか一方を判別する特典判別手段、及び
前記特典が適用されるべきユーザが使用するユーザ端末装置を前記識別情報に基づいて判別し、判別したユーザ端末装置に対して当該ユーザ端末装置を使用するユーザが前記特典判別手段が適用すべきと判別した特典を受けるために必要な特典情報を提供する特典情報提供手段として機能させるサーバ用プログラム部と、
前記ユーザ端末装置のコンピュータを、前記特典情報を前記光学的読取手段にて読み取り可能な態様で記録した特典画像を当該ユーザ端末装置の表示装置上に表示させる特典画像表示手段として機能させるユーザ端末装置用プログラム部と、
前記対象装置群に含まれる対象装置のそれぞれのコンピュータを、前記光学的読取手段を介して前記特典画像を読み取り、前記特典画像に記録されている特典情報に基づいて前記ユーザに前記特典を適用するための処理を実行する特典適用手段として機能させる対象装置用プログラム部と、
を含み、
前記サーバ用プログラム部は、前記第１のサーバ又は前記第２のサーバの少なくともいずれか一方を、同一ユーザに関する前記第１のシステムの識別情報と前記第２のシステムの識別情報とを相互に関連付ける手段として機能させ、
前記特典情報提供手段を、前記特典が適用されるべきユーザに関する前記第１のシステム又は前記第２のシステムの少なくともいずれか一方におけるユーザの識別情報を含めるようにして前記ユーザ端末装置に前記特典情報を提供するように機能させ、
前記第２のサーバを、前記ユーザに対して適用された特典の内容を示す情報を含んだ実績情報を前記対象装置から取得し、得られた実績情報を、前記光学的読取手段が読み取った特典情報に含まれているユーザの識別情報に基づいて特定される前記第２のシステムの識別情報と対応付けて記録する手段として機能させるように構成されている、特典制御システム用のコンピュータプログラム。